(57)【要約】【課題】操作ノブの操作位置により指針表示部の照明色を変化させ、見栄えが良好で、かつ操作位置の確認が容易で操作性のよいダイヤル式スイッチの照明構造を提供すること。【解決手段】ダイヤル式スイッチの回転式の円形の操作ノブ１の指針表示部３と、操作ノブ１の外周に設けた円弧状の固定表示部２の照明を行う照明構造において、固定表示部２を複数の表示領域２ａ，２ｂ，２ｃに分割し、各表示領域２ａ，２ｂ，２ｃに応じてこれらの背面側に設置した複数の発光色の異なる光源６ａ，６ｂ，６ｃと、固定表示部２と各光源６ａ，６ｂ，６ｃとの間に設置したレンズ部材とで、各表示領域２ａ，２ｂ，２ｃごとに光色の異なる照明を行う。指針表示部３はその背面側に設けたレンズ部材５により、指針表示部３が指し示す表示領域２ａ，２ｂ，２ｃの照明をする光源６ａ，６ｂ，６ｃの光を指針表示部３へ導き、指し示す表示領域２ａ，２ｂ，２ｃと同色の照明を行う。【選択図】        図２
2005347135.tif 000002
【特許請求の範囲】
【請求項１】
回転操作可能な円形の操作ノブと、該操作ノブの外周に円弧状の固定表示部を設け、上記操作ノブの回転角度に基づいて入力の切り換えを行うダイヤル式スイッチの上記操作ノブに設けた指針表示部と上記固定表示部との照明を行うダイヤル式スイッチの照明構造において、
上記固定表示部を複数の表示領域に分割し、
上記各表示領域に対応して固定表示部の背面側に設けた複数の発光色の異なる光源と、固定表示部と上記各光源との間に設けて各光源からの光を上記固定表示部へ導くレンズ部材とで、上記各表示領域ごとに光色の異なる照明を行うとともに、
上記指針表示部は、その背面側に設けたレンズ部材により、上記操作ノブの回転操作に伴って指針表示部が指し示す上記固定表示部の表示領域の照明を行う上記光源の光を上記指針表示部へ導き、指針表示部が指し示す固定表示部の表示領域ごとに該表示領域と同色の照明を行うようにしたことを特徴とするダイヤル式スイッチの照明構造。
【請求項２】
上記固定表示部のレンズ部材は筒状の小径部と段差により拡径した大径部とを備え、上記小径部の端縁に設けた入光面より上記各光源からの光をレンズ内部へ取り入れ、上記大径部の端縁に設けた上記固定表示部の上記各表示領域へこれらに対応する上記各光源からの光を導くようになし、かつ上記レンズ部材の各表示領域の境界には隣の表示領域側からの光を遮る遮光部を設け、上記各光源からの光で上記各表示領域ごとに光色の異なる照明をするようになし、
上記レンズ部材の段差には上記表示領域のうちの特定の表示領域に対応する位置に上記入光面からの光を上記操作ノブの背面側へ透光せしめる透光面を設け、
上記指針表示部のレンズ部材は、上記固定表示部のレンズ部材の上記大径部内へ挿入せしめる円形の大径部と、該大径部の背面側から突出し上記固定表示部のレンズ部材の上記小径部内へ挿入せしめる筒状の小径部とを備え、
上記指針表示部のレンズ部材には、上記大径部の表面側に上記指針表示部を設け、上記小径部の端縁に上記特定の表示領域以外の表示領域の照明をする光源からの光をレンズ内部へ取り入れる第１の入光面を設け、かつ上記大径部の背面側に指針表示部が上記特定の表示領域を指し示すとき、上記固定表示部のレンズ部材の上記透光面と対面して上記透光面からの光をレンズ内部へ取り入れる第２の入光面を設け、上記指針表示部が上記特定の表示領域以外の表示領域を指し示すときには指針表示部を上記第１の入光面から取り入れた光で上記特定の表示領域以外の表示領域と同色の照明を行う一方、上記指針表示部が上記特定の表示領域を指し示すときには指針表示部を特定の表示領域と同色の照明を行うようにした請求項１に記載のダイヤル式スイッチの照明構造。
【発明の詳細な説明】
【技術分野】
【０００１】
本発明は、ダイヤル式スイッチの照明構造、特に回転可能な操作ノブの指針表示部と、操作ノブの周囲に設けられた固定表示部との照明を行う照明構造に関する。
【背景技術】
【０００２】
一般に、車室のエアコンの温度設定を行うスイッチには、回転可能な操作ノブを備え、操作ノブの回転角度に基づいて入力の切り換えを行うダイヤル式スイッチが用いられている。この種のスイッチは夜間の暗い車室でも操作し易いように、上記操作ノブの周囲に設けられた温度設定位置等を示す固定表示部と、操作ノブの指針表示部との照明がなされている。一般に上記固定表示部や上記指針表示部は不透明の意匠プレートや操作ノブの板面に光を透過する透明または半透明の文字や図柄を設けたもので、背面側より光源の光を当てて文字や図柄に光を透過させるようにしている。
【０００３】
下記特許文献１に記載された従来の照明構造として、図５に示すように、温度設定を示す固定表示部２Ａが設けられた円形の意匠プレート２０の周囲に環状の操作ノブ１Ａが配置されたスイッチにおいて、意匠プレート２０と、その背面側の中心位置に設置された光源９０との間に、すり鉢状の導光体８０が設置され、導光体８０により光源９０からの光の進路を規制して上記固定表示部２Ａと操作ノブ１Ａの指針表示部３Ａとを一つの光源９０で照明をすることが提案されている。導光体８０は、小径端末側の開口を光源９０側に向け、大径端末側の開口を固定表示部２Ａ側に向けて配置され、光源９０からの光が導光体８０の中空内部を通って固定表示部２Ａの照明をする。
【０００４】
導光体８０には部分的に透明または半透明のレンズ部８１が設けてあり、レンズ部８１の大径側の端縁が操作ノブ１Ａの指針表示部３Ａの背面と対向するように配置され、レンズ部８１の小径側の端縁より光源９０の光をレンズ部８１内へ入光させ、レンズ部８１を通る光で指針表示部３Ａの照明をするようにしている。この照明構造では、単一の光源９０により照明がなされるので、固定表示部２Ａの温度設定を示す範囲や指針表示部３Ａを色分けしたい場合には各表示部に着色しなければならない。
【０００５】
従来の他の照明構造として、発光色の異なる複数の光源を用いて固定表示部を色分け照明するようにしたものがある。図６に示すように、円形部材の表面にツマミ１１を設けた操作ノブ１Ｂの周囲に固定表示部２Ｂが設けられ、かつ操作ノブ１Ｂのツマミ１１の一端に指針表示部３Ｂが設けられたスイッチにおいて、固定表示部２Ｂを設定温度の低い範囲を示す表示領域２ａと、高い範囲を示す表示領域２ｂ、および両者の中間範囲を示す表示領域２ｃに分割し、各表示領域２ａ，２ｂ，２ｃをそれぞれ、それらの背面側に設置された複数の発光色の異なる光源６ａ，６ｂ，６ｃにより個別に色分け照明する。尚、照明範囲の長い中間範囲を示す表示領域２ｃでは同色の複数の光源６ｃの光を図略のレンズ部材により表示部の全長に渡って拡散させて照明をしている。また指針表示部３Ｂは図略のレンズ部材により光源６ｃの光を取り入れて照明をするようにしている。
【特許文献１】特開２００２−２３１１０１号公報
【発明の開示】
【発明が解決しようとする課題】
【０００６】
しかしながら、従来の照明構造ではいずれの構造においても、操作ノブ１Ａ，１Ｂを回転操作して指針表示部３Ａ，３Ｂが指し示す設定範囲を変更したとしても、指針表示部３Ａ，３Ｂは同一色で照明され、変化がないので見栄えしないといった点や、操作ノブ１Ａ，１Ｂが現在どの範囲に設定されているのか分かりづらく、スイッチの操作性がよくないといった問題点があった。そこで本発明は、操作ノブの指針表示部の照明の色を、指針表示部が指し示す固定表示部の表示領域の照明の色に応じてこれと同色に変化せしめ、見栄えが良好で、操作ノブの操作位置が確認し易くスイッチの操作性を向上するダイヤル式スイッチの照明構造を提供することを課題としてなされたものである。
【課題を解決するための手段】
【０００７】
本発明は、回転操作可能な円形の操作ノブと、該操作ノブの外周に円弧状の固定表示部を設け、上記操作ノブの回転角度に基づいて入力の切り換えを行うダイヤル式スイッチの上記操作ノブに設けた指針表示部と上記固定表示部との照明を行うダイヤル式スイッチの照明構造において、上記固定表示部を複数の表示領域に分割し、上記各表示領域に対応して固定表示部の背面側に設けた複数の発光色の異なる光源と、固定表示部と上記各光源との間に設けて各光源からの光を上記固定表示部へ導くレンズ部材とで、上記各表示領域ごとに光色の異なる照明を行うとともに、上記指針表示部は、その背面側に設けたレンズ部材により、上記操作ノブの回転操作に伴って指針表示部が指し示す上記固定表示部の表示領域の照明を行う上記光源の光を上記指針表示部へ導き、指針表示部が指し示す固定表示部の表示領域ごとに該表示領域と同色の照明を行う（請求項１）。操作ノブを回転操作すると、指針表示部は、指し示す固定表示部の表示領域に応じての照明の光色が変化し、かつ上記表示領域と同色で照明されるので、見栄えが良好で、操作ノブの操作位置が一目で分かり、スイッチの操作性を向上する。
【０００８】
上記固定表示部のレンズ部材は筒状の小径部と段差により拡径した大径部とを備え、上記小径部の端縁に設けた入光面より上記各光源からの光をレンズ内部へ取り入れ、上記大径部の端縁に設けた上記固定表示部の上記各表示領域へこれらに対応する上記各光源からの光を導くようになし、かつ上記レンズ部材の各表示領域の境界には隣の表示領域側からの光を遮る遮光部を設け、上記各光源からの光で上記各表示領域ごとに光色の異なる照明をする。上記レンズ部材の段差には上記表示領域のうちの特定の表示領域に対応する位置に上記入光面からの光を上記操作ノブの背面側へ透光せしめる透光面を設ける。上記指針表示部のレンズ部材は、上記固定表示部のレンズ部材の上記大径部内へ挿入せしめる円形の大径部と、該大径部の背面側から突出し上記固定表示部のレンズ部材の上記小径部内へ挿入せしめる筒状の小径部とを備え、上記指針表示部のレンズ部材には、上記大径部の表面側に上記指針表示部を設け、上記小径部の端縁に上記特定の表示領域以外の表示領域の照明をする光源からの光をレンズ内部へ取り入れる第１の入光面を設け、かつ上記大径部の背面側に指針表示部が上記特定の表示領域を指し示すとき、上記固定表示部のレンズ部材の上記透光面と対面して上記透光面からの光をレンズ内部へ取り入れる第２の入光面を設け、上記指針表示部が上記特定の表示領域以外の表示領域を指し示すときには指針表示部を上記第１の入光面から取り入れた光で上記特定の表示領域以外の表示領域と同色の照明を行う一方、上記指針表示部が上記特定の表示領域を指し示すときには指針表示部を特定の表示領域と同色の照明を行う（請求項２）。特定の表示領域とそれ以外の表示領域を指し示す場合の指針表示部の照明色を変化させ、かつ指し示す表示領域と同色の照明をすることができる。
【発明の効果】
【０００９】
本発明のダイヤル式スイッチの照明構造によれば、操作ノブの指針表示部の照明の色を、指針表示部が指し示す固定表示部の表示領域の照明の色に応じてこれと同色に変化させることができ、見栄えが良好で、操作ノブの操作位置が確認し易くスイッチの操作性を向上することができる。
【発明を実施するための最良の形態】
【００１０】
図１ないし図４に基づいて、本発明の実施形態を説明する。本実施形態のダイヤル式スイッチは車両のエアコンの温度設定に用いられるもので、図１に示すように、回転操作可能な円形の操作ノブ１の外周に、環状の固定表示部２が設置してある。操作ノブ１は円盤形ノブの表面にその直径方向に延びるツマミ１１を設けたもので、ツマミ１１の一端には指針表示部３が設けてある。固定表示部２は、設定温度の低温範囲を示す表示領域２ａと、高温範囲を示す表示領域２ｂ、および中間範囲を示す表示領域２ｃとに分割区分してある。
【００１１】
図１ないし図４に示すように、固定表示部２は環状のレンズ部材４で構成してある。レンズ部材４は透明または半透明な乳白色の光を透過可能な合成樹脂からなり、筒状の小径部４ａと、該小径部４ａと同軸に段差４ｂにより拡径された大径部４ｃとを備えている。小径部４ａの端縁には、後述の光源６ａ，６ｂ，６ｃからの光をレンズ内へ取り入れる入光面４１を形成してある。段差４ｂおよび大径部４ｃの内周面には、入光面４１からレンズ内へ取り入れた光が洩れないように不透明のマスキング塗装４２を施してある。
【００１２】
レンズ部材４の大径部４ｃの端末表面には固定表示部２を設けてある。固定表示部２は、大径部４ｃの端末表面に施されたマスキング塗装に、各表示領域２ａ，２ｂ，２ｃを構成するスリット状の塗装抜きを設け、各表示領域２ａ，２ｂ，２ｃに上記入光面４１より取り入れた各光源６ａ，６ｂ，６ｃからの光を透過せしめて各表示領域２ａ，２ｂ，２ｃの照明をするようにしてある。
【００１３】
レンズ部材４には、低温範囲の表示領域２ａと中間範囲の表示領域２ｃとの間、高温範囲の表示領域２ｂと中間範囲の表示領域２ｃとの間の各境界にそれぞれ、不透明の合成樹脂からなり、隣の表示領域２ａ，２ｂ，２ｃの照明をする光が侵入しないように遮光部４３を一体に成形してある。
【００１４】
また、レンズ部材４の段差４ｂの内周面には、低温範囲および高温範囲の各表示領域２ａ，２ｂそれぞれに対応する位置に、マスキング塗装４２に塗装しない部分を設けて、小径部４ａ端縁の入光面４１より取り入れた各光源６ａ，６ｂからの光を操作ノブ１の背面側へ向けて透光せしめる透光面４４を形成してある。
【００１５】
図１ないし図３に示すように、操作ノブ１は、円形のノブ本体の背面側に、指針表示部３へ光を導くレンズ部材５を組付けた構造としてある。上記ノブ本体はレンズ部材５の表面を被覆する不透明な合成樹脂のカバ−部材で構成してあり、ノブ本体の中央部に表面側へ膨出する上記ツマミ１１を一体に形成してある。ツマミ１１の一端には指針表示部３用の貫通穴を形成してある。
【００１６】
レンズ部材５は、透明または半透明な乳白色の光を透過可能な合成樹脂製で、ノブ本体で被覆された円形の大径部５ａと、該大径部５ａの背面側にこれと同軸に突出する筒状の小径部５ｂとが一体に成形してある。レンズ部材５は固定表示部２のレンズ部材４よりもひとまわり小さい形状で、大径部５ａをレンズ部材４の大径部４ｃ内に挿入するとともに、小径部５ｂをレンズ部材４の小径部４ａ内に挿入するようにしてある。そして、レンズ部材５の大径部５ａの背面はレンズ部材４の段差４ｂと近接対向するようにしてある。
【００１７】
レンズ部材５には大径部５ａの表面に、上記ノブ本体の上記貫通穴に嵌入する指針表示部３を突設してある。小径部５ｂには端縁に、固定表示部２の中間範囲の表示領域２ｃの照明をする光源６ｃからの光をレンズ内へ取り入れる第１の入光面５１を設けてある。そして大径部５ａには指針表示部３と対応する位置に、第１の入光面５１から入光した光を指針表示部３へ導く導光路５２を形成してある。更に、導光路５２には背面側に、操作ノブ１を低温範囲の表示領域２ａまたは高温範囲の表示領域２ｂへ回転操作したときに、固定表示部２のレンズ部材４の段差４ｂに設けられた透光面４４と対面し、透光面４４から透過された光を導光路５２内へ取り入れる第２の入光面５３を形成してある。
【００１８】
レンズ部材５の大径部５ａの外周には係止爪５４が設けてあり、レンズ部材５の表面を被覆した上記ノブ本体の外周の係止穴に嵌合係止してある。また、大径部５ａの背面には中心位置にスイッチ本体ＳＷのスイッチ軸に嵌合せしめる取付ボス５５を突設してある。
【００１９】
図１、図２に示すように、操作ノブ１および固定表示部２のレンズ部材４は操作パネル７０の取付開口部に組付けてある。操作パネル７０の取付開口部には、その開口縁から背面側へ筒状に突出し、取付開口部を囲む筒状の外周壁７１と、取付開口部の底面を形成する底壁７２と、外周壁７１の内側に底壁７２の表面から突出し、外周壁７１と所定の間隙をおいて対面する筒状の内周壁７３とを備え、外周壁７１と内周壁７３とで２重の周壁構造をなす。
【００２０】
上記取付開口部の中心部には、背面側から底壁７２を貫通せしめたスイッチ本体ＳＷのスイッチ軸を突設してある。尚、スイッチ本体ＳＷは、操作パネル７０の背面側に設置された回路基板７５の表面に固定され、かつ回路基板７５と電気的に接続されている。
【００２１】
固定表示部２は、レンズ部材４の小径部４ａを操作パネル７０の取付開口部の外周壁７１と内周壁７３との間隙に嵌入し、小径部４ａの外周を外周壁７１の内面に当接せしめるとともにレンズ部材４の段差４ｂおよび大径部４ｃの外周を取付開口部の開口縁に当接せしめて固着してある。
【００２２】
操作ノブ１は、レンズ部材５の小径部５ｂを、先に操作パネル７０に取付けられたレンズ部材４の小径部４ａと上記取付開口部の内周壁７３との隙間へ挿入するとともに、ノブ本体で被覆されたレンズ部材５の大径部５ａをレンズ部材４の大径部４ｃ内に挿入し、レンズ部材５の取付ボス５５をスイッチ本体ＳＷのスイッチ軸に嵌入して回転操作可能に取付けてある。このとき、大径部５ａの背面がレンズ部材４の段差４ｂの表面と近接対向せしめてある。
【００２３】
各光源６ａ，６ｂ，６ｃは、回路基板７５の表面上のスイッチ本体ＳＷを中心とする円弧状の所定の位置に固定され、上記取付開口部の外周壁７１の内側位置に配置してある。各光源６ａ，６ｂ，６ｃは回路基板７５と電気的に接続されている。光源６ａは青色ＬＥＤからなり、固定表示部２の低温範囲の表示領域２ａに対応する位置に設置されている。光源６ｂは赤色ＬＥＤからなり、固定表示部２の高温範囲の表示領域２ｂに対応する位置に設置されている。光源６ｃはオレンジ色のＬＥＤからなり、固定表示部２の中間範囲の表示領域２ｃに対応する位置に所定の間隔をおいて複数設置されている（図例では２個設けている）。
【００２４】
各光源６ａ，６ｂ，６ｃに対応して、上記取付開口部の底壁７２には、各光源６ａ，６ｂ，６ｃの光を固定表示部２および指針表示部３の各レンズ部材４、５の入光面４１，５１へ向けて照射させるスリット７６ａ，７６ｂ，７６ｃを形成してある。光源６ｃに対応するスリット７６ｃは、光源６ｃの光が両レンズ部材４、５の入光面４１，５１に当たるようにスリット径が設定してある。各光源６ａ，６ｂに対応するスリット７６ａ，７６ｂは各光源６ａ，６ｂの光をレンズ部材４の入光面４１のみに当たるようにスリット径が設定してあり、レンズ部材５の第１の入光面５１へは底壁７２により遮光されて光が当たらない。
【００２５】
このように構成した照明構造によれば、固定表示部２の低温範囲を示す表示領域２ａに対応する位置では、光源６ａの青色の光がスリット７６ａを通してレンズ部材４の入光面４１に当たり、入光面４１からレンズ内部へ入光する。レンズ内部へ入光した光はレンズ内部を通って表示領域２ａをその背面側から照明をすることとなり、表示領域２ａは青色の照明がなされる。これと同様に、高温範囲を示す表示領域２ｂは、光源６ｂの赤色の光がレンズ部材４に入光し、この光により背面側から赤色の照明がなされる。尚、各光源６ａ，６ｂからレンズ部材４内へ入光した光のうちの一部はレンズ部材４の透光面４４を通過して操作ノブ１の背面側に当たるが、光はレンズ部材５に取り入れられない。
【００２６】
固定表示部２の中間範囲を示す表示領域２ｃに対応する位置では、スリット７６ｃを通してレンズ部材４の入光面４１に各光源６ｃのオレンジ色の光が当たり、入光面４１からレンズ内部へ入光する。レンズ内部へ入光した光はレンズ内部を通って表示領域２ｃをその背面側から照明をし、表示領域２ｃはオレンジ色の照明がなされる。この場合、レンズ内部へ入光した各光源６ｃの光がレンズ内部で拡散して表示領域２ｃの広い範囲をムラのない照明をする。
【００２７】
このように各表示領域２ａ，２ｂ，２ｃはそれぞれ、発光色の異なる光源６ａ，６ｂ，６ｃにより照明色の色分けがなされて見栄えが良い。レンズ部材４には、各表示領域２ａ，２ｂ，２ｃ間の境界に遮光部４３を設けたので中間範囲の表示領域２ｃの両端部でもこれらと隣接する両表示領域２ａ，２ｂの色が混ざらない。また、レンズ部材４の段差４ｂおよび大径部４ｃの内周面にマスキング塗装４２を施したので、固定表示部２と操作ノブ１との隙間から光が洩れない。
【００２８】
操作ノブ１側では、指針表示部３が中間範囲の表示領域２ｃを指し示す位置（図１のＸ範囲）にあるとき、スリット７６ｃを通して各光源６ｃのオレンジ色の光がレンズ部材５の第１の入光面５１に当たり、第１の入光面５１からレンズ内部へ入光する。レンズ内部へ入光した光は導光路５２内を通って指針表示部３の背面側へ進み、この光により指針表示部３はその背面側からオレンジ色の照明がなされる。指針表示部３は、中間範囲の表示領域２ｃに対応する位置では第１の入光面５１から入光した光によりオレンジ色の照明がなされる。
【００２９】
次に操作ノブ１を回転操作して、指針表示部３が高温範囲の表示領域２ｂに近づくと、光源６ｂの光の一部が透光面４４から洩れてきて、指針表示部３はオレンジ色から赤色に徐々に変化し、指針表示部３が表示領域２ｂを指し示す位置（図１のＺ範囲）になると、図２（Ｂ）に示すように、操作ノブ１のレンズ部材５の導光路５２の背面側の第２の入光面５３と固定表示部２のレンズ部材４の透光面４４とが対面する。このとき、レンズ部材４を通る光源６ｂの光の一部が透光面４４を通過してレンズ部材５の第２の入光面５３に当たり導光路５２へ入光する。導光路５２へ入光した光は指針表示部３へ至り、この光により指針表示部３はその背面側から赤色の照明がなされる。尚、指針表示部３が表示領域２ｂを指し示す位置でも、レンズ部材５にはその第１の入光面５１から光源６ｃの光が入光しているが、指針表示部３に近い光源６ｂから入光する光が強いのでこれによりに指針表示部３の照明がなされる。
【００３０】
これと同様に、操作ノブ１を回転操作して、指針表示部３が低温範囲の表示領域２ａを指し示す位置（図１のＹ範囲）とした場合には、レンズ部材５の第２の入光面５３がレンズ部材４の表示領域２ａ側の透光面４４と対面し、レンズ部材４を通る光源６ａの光の一部が透光面４４を通過してレンズ部材５の第２の入光面５３に当たり導光路５２へ入光する。この光により指針表示部３はその背面側から青色の照明がなされる。
【００３１】
このように本実施形態では、操作ノブ１を回転操作したとき、指針表示部３は、これにより指し示す固定表示部２の表示領域２ａ，２ｂ，２ｃに応じて指針表示部３の照明の光色が変化し、かつ指し示す表示領域２ａ，２ｂ，２ｃと同色で照明されるので、見栄えが良好である。また、操作ノブ１の現在の操作位置が一目で確認でき、スイッチの操作性が向上する。本実施形態では、表示領域を３分割し、３色の照明をするようにしたが、これに限らず、表示領域を多分割し、多色の照明を行うようにしてもよい。
【図面の簡単な説明】
【００３２】
【図１】本発明の照明構造を適用したダイヤル式スイッチの正面図である。
【図２】図２（Ａ）は図１のIIＡ−IIＡ線に沿う断面図、図２（Ｂ）は図１のIIＢ−IIＢ線に沿う位置での断面図である。
【図３】上記ダイヤル式スイッチを分解した状態の縦断面図である。
【図４】上記ダイヤル式スイッチの固定表示部に用いるレンズ部材の正面図である。
【図５】従来のダイヤル式スイッチを示すもので、図５（Ａ）は正面図、図５（Ｂ）は図５（Ａ）のVB−VB線に沿う断面図である。
【図６】従来の他のダイヤル式スイッチの正面図である。
【符号の説明】
【００３３】
１  操作ノブ
２  固定表示部
２ａ  低温の表示領域（特定の表示領域）
２ｂ  高温の表示領域（特定の表示領域）
２ｃ  中間の表示領域（表示領域）
３  指針表示部
４  固定表示部のレンズ部材
４ａ  小径部
４ｂ  段差
４ｃ  大径部
４１  入光面
４３  遮光部
４４  透光面
５  指針表示部のレンズ部材
５ａ  大径部
５ｂ  小径部
５１  第１の入光面
５３  第２の入光面
【図１】
2005347135.tif 000003
【図２】
2005347135.tif 000004
【図３】
2005347135.tif 000005
【図４】
2005347135.tif 000006
【図５】
2005347135.tif 000007
【図６】
2005347135.tif 000008